Podtech/llm-jp-corpus-v4-ja_patent huggingface dataset:
(57)【要約】【課題】便座を降ろす際に発生する便座と便器との衝撃及び衝撃音を防止することができるトイレ装置を提供することを目的とする。【解決手段】便器と、前記便器の上面に設置される便座とを備えたトイレ装置であって、前記便器の上面には、磁力を有する便器磁力部を備え、前記便座の前記便器上面と対向する便座下面には、前記便座が閉状態の時に、前記便器磁力部と対向する位置に、前記便器磁力部と同磁極の磁力を有する便座磁力部と、を備えていることを特徴とするトイレ装置を提供する。【選択図】図２
2015181696.tif 000002
【特許請求の範囲】
【請求項１】
便器と、前記便器の上面に設置される便座とを備えたトイレ装置であって、
前記便器の上面には、磁力を有する便器磁力部を備え、
前記便座の前記便器上面と対向する便座下面には、前記便座が閉状態の時に、前記便器磁力部と対向する位置に、前記便器磁力部と同磁極の磁力を有する便座磁力部と、を備えていることを特徴とするトイレ装置。
【請求項２】
前記便座下面は、前記便器磁力部と、前記便座磁力部とにより、前記便座が閉状態において、前記便器上面と接触していないことを特徴とする請求項１に記載のトイレ装置。
【発明の詳細な説明】
【技術分野】
【０００１】
本発明の態様は、便器上に設置される便座を備えるトイレ装置に関する。
【背景技術】
【０００２】
例えば、男性が小便終了後に、倒立状態にある便座を閉める際に、便座が便器上に載るまで手で支えず、途中で便座から手を離すことにより、勢いよく便座が閉まることがある。その際、便器と便座に大きな負荷がかかるだけでなく、衝撃による音により不快に感じることもある。
【０００３】
これまでに、特許文献１に開示されているような、便座閉時の便器と便座との衝撃を緩和するという視点では、ソフト閉止がある。これは、「グリス等の剪断抵抗やオリフィス乱流抵抗を利用し、ソフトに閉止させる」（特許文献１）というものである。しかし、構造が単純ではなく、オイル漏れの恐れもある。この点において、特許文献１には改善の余地がある。 
【先行技術文献】
【特許文献】
【０００４】
【特許文献１】特開平８−２６１２６４号公報
【発明の概要】
【発明が解決しようとする課題】
【０００５】
本発明は、かかる課題の認識に基づいてなされたものであり、便座を降ろす際に発生する便座と便器との衝撃及び衝撃音を防止することができるトイレ装置を提供することを目的とする。
【課題を解決するための手段】
【０００６】
第１の発明は、便器と、前記便器の上面に設置される便座と、を備えたトイレ装置であって、前記便器の上面には、磁力を有する便器磁力部を備え、前記便座の前記便器上面と対向する便座下面には、前記便座が閉状態の時に、前記便器磁力部と対向する位置に、前記便器磁力部と同磁極の磁力を有する便座磁力部を備えていることを特徴とするトイレ装置である。
【０００７】
このトイレ装置によれば、便座を降ろす際に発生する便座と便器との衝撃及び衝撃音を防止することができる。結果、便座・便器双方の耐久性が増す。また、使用者の衝撃音に対する不快感を軽減することにより、より安全で快適なトイレ装置を提供することができる。
【０００８】
第２の発明は、第１の発明において、前記便座下面は、前記便器磁力部と、前記便座磁力部とにより、前記便座が閉状態において、前記便器上面と接触していないことを特徴とするトイレ装置である。
【０００９】
このトイレ装置によれば、便座を降ろす際にそのスピードを緩めることなく、確実に便座と便器との衝撃及び衝撃音を防止することができる為、使用者は衝撃音により不快に感じること無く、用途に応じて素早く便座を使用する事ができることにより、より安全で快適なトイレ装置を提供することができる。
【発明の効果】
【００１０】
本発明の態様によれば、便座を降ろす際に発生する便座と便器との衝撃及び衝撃音を防止することができるトイレ装置を提供することができる。
【図面の簡単な説明】
【００１１】
【図１】本発明の実施の形態に係るトイレ装置を例示する斜視模式図である。
【図２】本発明の実施の形態に係るトイレ装置において、便座が閉状態時を例示する模式図である。
【発明を実施するための形態】
【００１２】
（トイレ装置の全体構成）
以下、本発明実施の形態を図面を参照しつつ説明する。なお、各図面中、同様の構成要素には同一の符号を付して詳細な説明は適宜省略する。
図１は、本発明の実施の形態に係るトイレ装置を例示する斜視模式図である。
【００１３】
（トイレ装置の概要）
図１に表したトイレ装置は、洋式腰掛便器３と、その上方に設けられた便座１と、を備える。便座１は、磁力を有する便座クッションを有する。便座１は、洋式腰掛便器３に、開閉自在に軸支されている。
便座磁力部２は、便座クッションと兼用構造となっている。便座磁力部２は、洋式腰掛便器３の便器上面４と対応する面に使用者の着座時のバランスを考慮し、少なくとも４個以上配置する。
【００１４】
洋式腰掛便器３の便器上面４には、便座１が閉状態の時に、便座磁力部２と対向する位置に、便器磁力部５が配置されている。
【００１５】
（磁力装置の概要）
図２は本発明の実施の形態に係るトイレ装置において、便座が閉状態時を例示する模式図である。
トイレ装置は、便座閉状態の際には、便座１側の便座磁力部２と便器３側の便器磁力部４とに隙間を有する。つまり、便座下面と便器上面４とに隙間が形成され、 便座下面と便器上面４とは、接触していない。
なお、使用者が便座装置１に着座した際においては、この隙間はなく、便座磁力部２と、これに対向する便器上面４に設置された便器磁力部５とが接している状態となる。
【００１６】
（便座磁力部２の構成）
便座１の便座クッションは、便座磁力部２の磁石を保護するために、表面はゴムまたは樹脂系のクッション６を用いている。この中に便座磁力部２の磁石を配置するための空間を設け、この空間の中に磁石を配置することにより、位置決め及び外部環境による劣化を防ぐ構造となっている。
【００１７】
（便器磁力部５の構成）
便器磁力部５は、便座閉時に便座クッションと対応する部位に設置し、便座軸のガタ分を考慮して便座クッションの少なくとも２倍以上の面積で配置される。
前述により配置される便器磁力部５は、磁石保護のためプラスチック等のカバーにて表面を覆うために、便器上面４に設けられた表面カバー及び磁石７を設置する空間に設けられる。この構成により、磁石７は、便器に埋め込まれ、位置決めができる。更に保護のために磁石の上を表面カバーが覆うことで周囲より凸になることを防止することができる。
【００１８】
便座磁力部２の磁石と便器磁力部５の磁石７とは、双方の磁力によって、便座開状態において、使用者が自然に便座から手を離した状態であっても、便座下面と便器上面４とが接することがないような磁力になっている。
本構成により、便座下面は、便器磁力部５と便座磁力部２とにより、便座１が閉状態において、便器上面４と接触することがないため、便座１を降ろす際に発生する便座１と便器３との衝撃及び衝撃音を防止することができる。
【符号の説明】
【００１９】
１…便座
２…便座磁力部（便座クッション）
３…洋式腰掛便器
４…便器上面
５…便器磁力部
６…クッション
７…磁石
【図１】
2015181696.tif 000003
【図２】
2015181696.tif 000004
(57)【要約】【課題】Ｑゲームは簡単なボードゲーム【解決手段】本発明は３×３から３×４、４×４等いくつのマスを使ってもよく３×３なら９つの穴の空いたマスに４×４なら１６の穴の空いたマスに棒状の上と下で違った色の駒を使い、白、黒、交互に駒を進めていき、駒は、一番下と一番上に駒を並べ、白の駒、黒の駒の駒は縦、横、斜めにいくつも進め、白の駒なら一番上へ、黒の駒なら一番下へ、駒を全て並べた方が勝ちでまたポイント制で白の駒２が一つ一番上へいったら１ポイントで黒の駒が２つ一番下へいったら２ポイントで例えば互いに３列ある駒の真ん中を２ポイントにしても良く駒の動きがいつまでも続く場合、ポイントの多いほうが勝ち、また最後に駒を全て進めてポイントが多い方が勝ちであるＱゲーム【選択図】図１
2015181929.tif 000002
【特許請求の範囲】
【請求項１】
３×３から３×４、４×４等いくつのボードを使ってもよく３×３なら９つのマス、１Ａ、２Ｂ、３Ｃ、４Ｄ、５Ｅ、６Ｆ、７Ｇ、８Ｈ、９Ｉに、９つの穴の空いたマスに棒状の上と下それぞれ違った色の駒を使い、白の駒２、黒の駒３の駒を交互に駒を進めていき、駒は、一番下１Ａ、２Ｂ、３Ｃと一番上７Ｇ、８Ｈ、９Ｉに駒を並べ、白の駒２、黒の駒３の駒は縦、横、斜めにいくつも進め、白の駒２なら一番上へ、黒の駒３なら一番下へ、駒を全て並べた方が勝ちでまたポイント制で白の駒２が一つ一番上へいったら白が１ポイントで黒の駒３が２つ一番下へいったら黒に２ポイントでポイントを例えば互いに３列ある駒の真ん中を２ポイントにしても良く駒の動きがいつまでも続く場合ポイントの多いほうが勝ち、また最後に駒を全て進めてポイントが多い方が勝ちであるＱゲーム
【発明の詳細な説明】
【技術分野】
【０００１】本発明は、ボードゲームに関する。
【背景技術】
【０００２】Ｑゲームはまだ存在しなかった。
【先行技術文献】
【特許文献】
【特許文献】なし
【０００３】
【非特許文献】
【非特許文献】なし
【０００４】
【発明の概要】
【発明が解決しようとする課題】
【０００５】３×３から３×４、４×４等いくつのマスを使ってもよく３×３なら９つの穴の空いたマスに４×４なら１６の穴の空いたマスに棒状の上と下で違った色の駒を使い、白、黒、交互に駒を進めていき、駒は、一番下と一番上に駒を並べ、縦、横、斜めにいくつも進め、下の駒なら一番上へ上の駒なら一番下へ、駒を全て並べた方が勝ちでまたポイント制で下の駒が一つ一番上へいったら１ポイントで上の駒が２つ一番下へいったら２ポイントでまた例えば互いに３列ある駒の真ん中を２ポイントにしても良く駒の動きがいつまでも続く場合ポイントの多いほうが勝ち、また最後に駒を全て進めてポイントが多い方が勝ちであるＱゲーム
【課題を解決するための手段】
【０００６】本発明は、３×３の９つや４×４の１６の穴の空いたマスに棒状の上と下で違った色の駒を使う。
【発明の効果】
【０００７】上述したように本発明のＱゲームは３×３から３×４、４×４等いくつのマスを使ってもよく３×３なら９つの穴の空いたマスに４×４なら１６の穴の空いたマスに棒状の上と下で違った色の駒を使い、白、黒、交互に駒を進めていき、駒は、一番下と一番上に駒を並べ、縦、横、斜めにいくつも進め、下の駒なら一番上へ、上の駒なら一番下へ、駒を全て並べた方が勝ちでまたポイント制で下の駒が一つ一番上へいったら１ポイントで上の駒が２つ一番下へいったら２ポイントで例えば互いに３列ある駒の真ん中を２ポイントにしても良く駒の動きがいつまでも続く場合ポイントの多いほうが勝ち、最後に駒を全て進めてポイント多い方が勝ちであるＱゲーム
【図面の簡単な説明】
【０００８】
【図１】  本発明のＱゲームの一実施例を示す上方から見た外観図。
【図２】  本発明のＱゲームの一実施例を示す断面図である。
【発明を実施するための形態】
【０００９】以下、本発明の実施の形態を図１〜図２に基づいて説明する。
【００１０】図において１はボードで２は白い駒で３は黒い駒で４はケースの蓋で１Ａ、２Ｂ、３Ｃ、４Ｄ、５Ｅ、６Ｆ、７Ｇ、８Ｈ、９Ｉはマスでマスと駒を増やしても楽しめる。
【００１０】まず３×３の場合、ボード１に白い駒２を１Ａ、２Ｂ、３Ｃに並べ、黒い駒３を７Ｇ、８Ｈ、９Ｉに並べ、例えば白い駒２の２Ｂが始めに５Ｅに動き、次に黒い駒３の８Ｈが６Ｆに動き、５Ｅに動いた白い駒２が８Ｈに動き、その白い駒２が上段に到達したので１ポイント取り、６Ｆに動いた黒い駒３が２Ｂに動き、黒い駒３が下段に到達したので１ポイント取り、白い駒２の１Ａが４Ｄに動き、黒い駒３の９Ｉが１Ａに動き、下段に到達したので２ポイントとなり、白い駒２の３Ｃが５Ｅに動き、黒い駒３の７Ｇの駒が動けず、黒の駒３の２Ｂの駒が３Ｃに動き、白い駒２の５Ｅが９Ｉに動き、上段に到達したので２ポイント取り、黒い駒３の７Ｇが５Ｅに動き、白い駒２の４Ｄが７Ｇに動き、上段に到達し、白の駒２が３ポイント取り、白い駒２が全て上段に到達したので白の勝ちとなる。
【００１１】本発明の一実施例は上述の如き構成からなるものである
【符号の説明】
【００１２】１      ボード
２      白の駒
３      黒の駒
４      ケース
１Ａ    下段の左下のマス
２Ｂ    下段の中央のマス
３Ｃ    下段の右下のマス
４Ｄ    中段の中央の左のマス
５Ｅ    中段の中央のマス
６Ｆ    中段の中央の右マス
７Ｇ    上段の左上のマス
８Ｈ    上段の中央のマス
９Ｉ    上段の右上のマス
【図１】
2015181929.tif 000003
【図２】
2015181929.tif 000004
(57)【要約】【課題】ビニール袋を塵取り型小箱の中に内貼りし、残りのビニール袋で外側を包んだうんち処理赤い小箱を提供する。【解決手段】手提げビニール袋（２）と塵取り型小箱（１）そえ棒（４）を組み合わせ、うんちをすくい入れることが特徴とする。【選択図】図３
2015181930.tif 000002
【特許請求の範囲】
【請求項１】
手提げビニール袋（２）と塵取り型小箱（１）を設け、手提げビニール袋を塵取り型小箱の内側に貼り、組み合わせた。うんち処理赤い小箱である。
うんちの入ったビニール袋は手提げとなり、持ち運びが出来る。使い捨て商品である。
【発明の詳細な説明】
【技術分野】
【０００１】この発明は、手提げビニール袋を塵取り型小箱の中に内貼りし、残りのビニールで外側を包んだ、うんち処理赤い小箱に関するものである。
【背景技術】
【０００２】従来、うんち処理は、ビニール袋のみで塵取り型小箱は無かった。
【先行技術文献】
【特許文献】
【０００３】
【特許文献１】
【発明の概要】
【発明が解決しようとする課題】
【０００４】これは、次のような欠点があった。
従来、うんち処理は、ビニール手袋をつけ、うんちを直接掴む処理をしていた。
塵取り型小箱は、うんちを、すばやく、手を汚さず、ビニール袋にすくい入れる。
うんちを直接処理するイメージを無くした。本発明は以上のような欠点をなくすためになされたものである。
【課題を解決するための手段】
【０００５】手提げビニール袋（２）と塵取り型赤い小箱（１）を設け、組み合わせから出来ている。
赤い小箱で、うんちをビニール袋にすくい入れる。
すくい残したうんちは、そえ棒（４）で押し入れる。
本発明は、以上の構成よりなる塵取り型赤い小箱である。
【発明の効果】
【０００６】うんち処理赤い小箱は、ビニール袋と一体になっている。誰でも簡単にうんちをビニール袋にすばやく、手を汚さず、すくい入れられる。
うんちの入ったビニール袋は、美しい包装で手提げとなり持ち歩きは便利、使い捨て商品で散歩・旅行が出来る。
【図面の簡単な説明】
【０００７】
【図１】本発明の赤い小箱斜視図である
【図２】本発明の手提げビニール袋を小箱に内貼りした斜視図である
【図３】発明の小箱をビニール袋で包んだ斜視図である
【図４】本発明のそえ棒側面図である
【発明を実施するための形態】
【０００８】以下、本発明を実施するための形態について説明する。
手提げビニール袋（２）と塵取り型小箱（１）を設ける。手提げビニール袋（２）を塵取り型小箱（１）の内側に貼り、そえ棒（４）個別包装紙（５）で完成品である。
本発明は、以上のような構造である。
これを使用するときは、個別包装より取り出し、塵取り型小箱で、うんちをビニール袋にすくい入れる。片手で操作出来る大きさである。
【符号の説明】
【０００９】１  塵取り型小箱
２  手提げビニール袋
３  完成赤い小箱
４  そえ棒
５  個別包装紙
【図１】
2015181930.tif 000003
【図２】
2015181930.tif 000004
【図３】
2015181930.tif 000005
【図４】
2015181930.tif 000006
(57)【要約】【課題】取り外し、取り換えが可能の複数の小分け鍋を略環状に連結し、複数の調理が各小分け鍋毎に同時に、効率的、安全に行える多用途鍋を提供することを課題とする。【解決手段】多用途鍋1は、平面形を円形とし、その中心部から複数に分割した形態の小分け鍋3を略環状に連結し、この各小分け鍋3で複数の調理が同時に進行できるようにし、また、前記外鍋2に各小分け鍋の外側方向に形成されたフランジ部により連結が容易に、安全に着脱できるようにし、各小分け鍋3の調理の仕上がりによって、火に掛けたまま小分け鍋3の取り付け、取り換えができる多用途鍋1とした。【選択図】図５
2015119813.tif 000002
【特許請求の範囲】
【請求項１】
複数の小分け鍋/図2の(a)および(b)毎に、複数の料理の加熱調理が同時にできる鍋底部に穴が開いた外鍋2と蓋6で構成される多用途鍋/図5
材質がステンレス、アルミまたは、鋳物の平面形を円形状にした外鍋2に対応した1/4形状の4個の小分け鍋3と1/2形状の2個の小分け鍋3’、小分け鍋着脱用のグリップ8で構成される多用途鍋。各小分け鍋3および、小分け鍋3’の外側へ形成されたフランジ部4は、グリップ8による小分け鍋の着脱時にも使用可能な形状を有する。また、小分け鍋3，3’は、料理の種類・内容により自由自在に組み合わせることができる多用途鍋。
【請求項２】
前記多用途鍋の外鍋2は、平面形が円形状のほか、四角および六角の多角形でも形成されたことを特徴とする請求項1に記載の多用途鍋。
【発明の詳細な説明】
【技術分野】
【０００１】
本発明は、複数の小分け鍋で同時に複数の調理ができ、また、調理の仕上がりの時間差によって、コンロ上に掛けた多用途鍋から、個々の小分け鍋の着脱が可能な多用途鍋に関する。
【背景技術】
【０００２】
従来の鍋は、一つの鍋で一種類ずつ食べ物を煮ていたため、複数種類の食べ物を煮る場合にはコンロが2口以上要し、また、熱源にも無駄が多かった。特に独身者、夫婦二人、または夫婦共稼ぎというような少人数の家庭では、少量ずつを同時に調理できることが望ましく、しかしながら、いまだそのような目的にかなう調理用鍋はなかった。
【先行技術文献】
【特許文献】
【０００３】
【特許文献１】先行技術文献は、実用新案登録第3054513号、名称「複数の食べ物を同時に煮る鍋」公報がある。
【非特許文献】
【０００４】
【非特許文献１】該当なし。
【発明の概要】
【発明が解決しようとする課題】
【０００５】
前記考案は、比較的大きい丸鍋本体の底穴に複数の鍋を3個疎に置いたものであり、スペースに無駄があり、各鍋の棒状の柄がそれぞれ外側に突出し、調理者にとって邪魔であり、危険なものであった。そこで、各小分け鍋が安定・安全に連結し、一個の小分け鍋を取り出し、取り付けることも容易であって、個々の小分け鍋の調理の仕上がりに応じて取り付け、取り外すことにより効率的な調理ができ、しかも、調理者にとって安全な多用途鍋を提供することを目的としたものである。
【課題を解決するための手段】
【０００６】
前記目的を達成するために、請求項1に係る発明は、複数の小分け鍋3，3’…毎に、複数の料理の加熱調理が同時にできる多用途鍋1であって、平面形を円形とし、複数の小分け鍋3，3’…を連結し、個々に着脱自在であるように構成したことを特徴とする多用途鍋1としたものである。
【０００７】
請求項2に係る発明は、前記多用途鍋1の外鍋2は、平面形が円形状のほか、四角及び六角の多角形でも形成されたことを特徴とする、多用途鍋1としたものである。
【発明の効果】
【０００８】
請求項1に係る多用途鍋1は、前記構成としたことにより、効率的に小分け鍋を連結しスペースに無駄がなく、各小分け鍋の調理の進行速度に応じて着脱ができるので、複数の調理を同時に行うことができ、調理の所要時間を短縮できる効果がある。請求項2に係る多用途鍋1は、外鍋の形状の多角化により複数の調理がよりきめ細かくすることが容易に、安全にできるという効果を有する。
【図面の簡単な説明】
【０００９】
【図１】本発明の多用途鍋の一実施の形態を示す平面図である。
【図２】本発明の小分け鍋の実施の形態を示し、(a)図は汎用の小分け鍋の一実施の形態を示すものであり、(b)図は半円形の小分け鍋の一実施の形態を示す図である。
【図３】本発明の多用途鍋から、小分け鍋の一個を取り出したままガスコンロの上に載置した状態を示す図である。
【図４】本発明の複数の小分け鍋のうち、半円形の小分け鍋を連結した状態を示す平面図である。
【図５】本図は、多用途鍋の一実施の形態を示す斜視図である。
【発明を実施するための形態】
【００１０】
以下、図面に沿って、本発明に係る多用途鍋1について説明する。図1の(a)は4個の小分け鍋3，3，3，3を連結した状態を示すものであり、同図の(b)は半円形の小分け鍋3’の一実施の形態を示す図である。
【００１１】
図3は、4個の小分け鍋3，3，3，3のうち、1個の小分け鍋を取り外してそのままコンロの五徳9の上にかけた状態を示す図であり、図4は2個の小分け鍋3，3と半円形の小分け鍋3’を連結した状態を示す平面図である。図5は、4個の小分け鍋3，3，3，3を連結実施の形態を示す斜視図である。
【００１２】
先ず、請求項１に係る発明は、平面形を円形とした多用途鍋2の、円形を分割した形態の複数の小分け鍋3，3…を連結し、前記小分け鍋は個々に着脱自在に構成したものであり、このような構成としたことにより、各小分け鍋3，3…毎に少量の異なった惣菜を一度に調理できるので、少人数の家庭においても、短時間のうちに数種類の料理ができるようにしたものであり、これら小分け鍋3，3…小分け鍋のそれぞれの料理の仕上がりに応じて、個々に着脱ができるようにしたものである。
【００１３】
また、図3に示すように、例えば、4個の小分け鍋3，3，3，3のうち1個の小分け鍋3の調理が先に出来上がって取り外した場合、残った3個の小分け鍋3，3，3のみでもガスコンロの五徳9上に安定状態で載置でき、また、図2の(a),(b)図に示すように、小分け鍋3または3’は、1個でも火をかけて安全に加熱調理することもできる。
【００１４】
本発明のこの多用途鍋1による料理の一例を示せば、2個の小分け鍋3，3をそれぞれ味噌汁と煮物に用い、他の1個の小分け鍋3で豆腐を温め、豆腐が温まれば、図3に示すように、その小分け鍋3を取り外し、そこに図2の(b)図に示す半円形の小分け鍋3’を取り付けお湯を沸かす。また、インスタントラーメンを作る際、4人の好みにより、醤油味、味噌味、塩味、豚骨味などそれぞれの小分け鍋3，3，3，3に入れ同時に調理することが可能であり、また、本発明の多用途鍋1をおでんの調理に使えば、各おでんのタネをそれぞれの小分け鍋3，3…に分けて煮ることもできる。調理のための熱源としては通常のガスコンロでもよく、また、電磁調理器でもよい。
【符号の説明】
【００１５】
1．多用途鍋
2．外鍋
3.1/4分割小分け鍋
3’．1/2半円形小分け鍋
4．小分け鍋フランジ部
5．多用途鍋把手
6．蓋
7．蓋ツマミ
8．小分け鍋着脱用グリップ
9．五徳
【図１】
2015119813.tif 000003
【図２】
2015119813.tif 000004
【図３】
2015119813.tif 000005
【図４】
2015119813.tif 000006
【図５】
2015119813.tif 000007
(57)【要約】      （修正有）【課題】従来と同じ面積で数倍の太陽光を集光する事が出来る太陽光発電システムを提供する。【解決手段】凸レンズが光を集める原理を応用して、凸レンズを半円柱状に透明樹脂等で形成したものを数本結合した「集光パネル」を製作、設置する。【選択図】図２
2015119156.tif 000002
【特許請求の範囲】
【請求項１】
太陽光発電パネル（１）の上部に（２）凸レンズを半円柱形状に透明樹脂等で形成したもの（３）を数本を結合し（４）パネル状に成形した太陽光「集光パネル」である。
【発明の詳細な説明】
【技術分野】
【０００１】本発明は、太陽光発電パネルの上部に「集光パネル」を設置する事で、数倍の太陽光を集める事が出来、効果として数倍の発電量を得る事が出来るものである。
【発明の概要】
【発明が解決しようとする課題】
【０００２】◆  太陽光を多く集めれば、多く発電が出来る道理である。そのためには大きなパネルを要する。つまり広い面積、広い用地を要する事になる。
◆  そこで本発明の目的は、以上のような課題を解決するために、凸レンズが光を集める原理を応用して、凸レンズを半円柱形状に透明樹脂等で形成したものを数本結合した（図面参照）「集光パネル」を製作、設置することで従来と同じ面積で数倍の太陽光を集光する事が出来る物である。
【課題を解決するための手段】
【０００３】◆  凸レンズを半円柱形状に透明樹脂等で形成したものを数本結合しパネル状することで重量を軽く出来る。
◆  さらにパネルを何枚も連結することで大きな面積も自由に変更する事が可能である。
◆  既設の太陽光発電パネルにも後付けで「集光パネル」を設置することで従来の数倍の発電が可能である。
【発明の効果】
【０００４】◆  本発明の「集光パネル」を設置する事で本体の太陽光発電パネルを風雨から保護する効果も加わり本体の耐用年数も数倍となる利点がある。
◆  本発明の「集光パネル」を設置することにより従来と同じ面積で数倍の発電量の能力が得られる効果が期待できる。
【図１】
2015119156.tif 000003
【図２】
2015119156.tif 000004
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
太陽光発電パネルの上部に透明樹脂等で成型した半円柱形状または波形形状の凸レンズを複数本結合し１枚のパネル状になしたことを特徴とする集光パネル。
【手続補正２】
【補正対象書類名】明細書
【補正対象項目名】全文
【補正方法】変更
【補正の内容】
【発明の詳細な説明】
【技術分野】
【０００１】
本発明は太陽光発電パネル（メーカー各社はモジュールと表示）いわゆるソーラーパネルの上部に「集光パネル」を設置する事で従来の数倍の太陽光を集める事が出来、効果として数倍の発電量を得る事が出来る太陽光発電に関するものである。
【発明の概要】
【発明が解決しようとする課題】
【０００２】
太陽光発電に於いては、太陽光を多く集めれば、多く発電が出来る道理である。そのためには大きなパネルを要することになる。つまり広い面積、広い用地を要する事になる。
そこで本発明の目的は、以上のような課題を解決するために、凸レンズが光を集める原理を応用して、（通常凸レンズと云うと円形で球面体であるが凸レンズを）半円柱形状に透明樹脂等で成型した円柱レンズ状のものを数本結合した「集光パネル」を製作しソーラーパネルに設置することで従来と同じ面積で数倍の太陽光を集める事が出来る「集光パネル」である。
【課題を解決するための手段】
【０００３】
太陽光発電でより多くの電気を創るにはより多くの光を取り込むことが大切である。通常凸レンズは円形で球面体であるが、円形だと角型長方形のソーラーパネルに設置するには無理があり無駄が出来る。そこで凸レンズを非球面体のを半円柱凸レンズ形状に透明樹脂等で成型すると限りなく長い円柱凸レンズが出来る。そうしたものを数本結合連結し１枚のパネル状にすることで重量も軽く出来る。
さらにパネルを何枚も連結することで大きな面積にも自由に対応することが可能である。
凸レンズを半円柱形状にすると当然その分、表面積が大きくなるので表面反射量も大きくなる、そこで表面反射を減らす対策として、表面に低反射処理を施して太陽光の吸収量を多くする事も考慮する。
【発明の効果】
【０００４】
本発明の「集光パネル」をソーラーパネルに設置する事で本体の太陽光発電パネルを風雨から保護する効果も加わる利点も生じるのである。
本発明の「集光パネル」を設置することにより、比較的に簡素で安価に従来と同じ面積で数倍の発電量の能力が得られる効果が期待できる。
また既設の太陽光発電パネルにも後付けで「集光パネル」を設置することが出来るので従来の数倍の発電が可能である。
太陽電池が苦手な暑い日も表面が波型であるため表面積が大きく放熱の効果も得られる。
【図面の簡単な説明】
【０００５】
【図１】凸レンズを円柱レンズ状に成型した斜視図である。
【図２】円柱凸レンズを数本結合連結しパネル状にした斜視図である。
【図３】円柱凸レンズを波型に結合連結しパネル形状にした部分断面図である。
【図４】円柱凸レンズを波型に結合連結しパネル形状にした部分斜視図である。
【発明を実施するための形態】
【０００６】
通常は太陽光パネルの上部に取り付けるものである。
【実施例】
【０００７】
以下、発明の実施をするための形態について説明をする。
凸円柱レンズ（１）を透明樹脂等の平板に並べて接合する、または一体に成型（２）する。
（２）は設置するソーラーパネルの大きさ形状に合わせる。
一体成型する場合（３）の波板型の円柱状レンズの方が成型が容易に出来るし、谷になる部分が影にならなくて光を失わなくて良い結果が得られる。
ソーラーパネルの大きさ形状に合わせるのも容易である。
【符号の説明】
【０００８】
１    凸レンズを円柱レンズ状に成型した非球面レンズ
２    凸レンズを円柱レンズ状に成型した非球面レンズを数本並べてパネルにするための透明樹脂平板
３    ソーラーパネル
Ｎ−１  波板を円柱凸レンズ状に成型した集光パネルの断面
Ｎ−２  波板を円柱凸レンズ状に成型した集光パネル
Ｎ−３  ソーラーパネル
【手続補正４】
【補正対象書類名】図面
【補正対象項目名】全図
【補正方法】変更
【補正の内容】
【図１】
2015119156.tif 000005
【図２】
2015119156.tif 000006
【図３】
2015119156.tif 000007
【図４】
2015119156.tif 000008
(57)【要約】【課題】従来のコーヒーを氷で冷却する方法では、時間の経過とともにアイスコーヒーの濃度が薄くなり、味も風味も損なわれおいしく飲めなくなってしまうという課題があった。上記の課題を解決するために、本考察は次のような冷飲料保冷器を提供するものである。【解決手段】飲料カップ１に氷４を入れた氷収納容器２を収装し、飲料カップ１にコーヒーを注ぎ、コーヒーが冷却された後、氷４ごと氷収納容器２を取り出せばアイスコーヒーの濃度は下がらない。また、飲料カップ１に少しの断熱効果があれば最後まで冷たくおいしいアイスコーヒーが飲める。【選択図】図1
2015119964.tif 000002
【特許請求の範囲】
【請求項１】
底部を有し、上部が開口している飲料カップに、当該飲料カップより小径の氷収納容器を収装した構造を備えており、前記氷収納容器には氷より小径の孔が少なくとも底面または底面と側面下部に複数設けられており、氷収納容器に氷が入れられた後、当該飲料カップの開口部の上方から抽出された飲料が滴下し、前記氷収納容器の中の氷に浸漬し、氷及び氷の溶融水により、前記飲料が所定レベルまで冷却された時、前記氷収納容器を持ち上げ冷却された飲料が前記飲料カップに滴下した後氷ごと前記氷収納容器を取り出すことを特徴とする飲料冷却装置。
【請求項２】
前記氷収納容器には、当該容器の上辺に取っ手を備えていることを特徴とする請求項１に係る飲料冷却装置。
【請求項３】
前期飲料冷却装置は、氷を入れた氷収納容器を飲料カップの中に収装し上部から滴下された飲料が冷却された後、氷ごと氷収納容器を取り出し、冷却された飲料が氷で薄められないようにすることを特徴とする冷飲料の作成方法。
【発明の詳細な説明】
【技術分野】
【０００１】
この発明は、飲料を氷で冷却した後氷を取り出すことにより、冷却された飲料が最後まで薄まらずに飲める飲料冷却装置に関するものである。
【背景技術】
【０００２】
熱いコーヒーなどを、氷によって冷却するアイスコーヒー抽出法は公知である。
【先行技術文献】
【特許文献】
【０００３】
【特許文献１】特開２００７−３０７２７４
【特許文献２】特開２００２−１９９９８７
【特許文献３】実用新案登録第３１５３７１８号
【発明の概要】
【発明が解決しようとする課題】
【０００４】
従来のコーヒー等を氷で冷却する方法では、時間の経過とともにアイスコーヒーの濃度が下がり、味も風味も損なわれおいしく飲めなくなってしまうという課題があった。
【課題を解決するための手段】
【０００５】
前記課題を解決するため、底部を有し、上部が開口している飲料カップに、当該飲料カップより小径の氷収納容器を収装した構造を備えており、前記氷収納容器には氷より小径の孔が少なくとも底面または底面と側面下部に複数設けられており、氷収納容器に氷が入れられた後、当該飲料カップの開口部の上方から抽出された飲料が滴下し、前記氷収納容器の中の氷に浸漬し、氷及び氷の溶融水により、前記飲料が所定レベルまで冷却された時、前記氷収納容器を持ち上げ冷却された飲料を前記飲料カップに滴下した後氷ごと前記氷収納容器を取り出すことにより飲料の濃度は下がらず冷たい状態で飲める飲料冷却装置により達成される。また、前記氷収納容器には、当該容器の上辺に取っ手を備えており、氷収納容器を取り出しやすくする。さらに、前期飲料冷却装置は、氷を入れた氷収納容器を飲料カップの中に収装し上部から滴下された飲料が冷却された後、氷ごと氷収納容器を取り出し、冷却された飲料が氷で薄められないようにすることを特徴とする冷飲料の作成方法である。
【発明の効果】
【０００６】
アイスコーヒーを氷を入れたまま飲んでいると、時間の経過とともにアイスコーヒーの濃度が下がり、風味も味も損なわれるが、アイスコーヒーが冷却された後氷を取り出せば、最後までおいしく呑める。
【図面の簡単な説明】
【０００７】
【図１】実施例1の飲料カップの斜視図である。飲料カップとその蓋と飲料カップに収装する氷収納容器を示す斜視図である。
【図２】図1の分解斜視図である。
【発明を実施するための形態】
【０００８】
飲料カップ１と飲料カップ用蓋２と氷収納容器３の材質は、紙製または樹脂製とし、飲料カップ１には少し保冷機能を持たせたものがよいため、特に紙製が適当である。飲料カップ１は、円柱形で底面１ａがあり、上面は開口部１ｂを有しており、上面の直径は底面１ａの直径より少し大きいものとする。
飲料カップ用蓋２は、飲料カップ１にかぶせる形とし、飲料カップ１に噛み合うようにする。
【０００９】
氷収納容器３は、飲料カップ１より少し径を小さくし、取り出し易いように上辺に取っ手３ａを付け、底面３ｃに直径２ｍｍ〜３ｃｍの孔を開ける。孔の大きさは、使用する氷４の径より小さいものとする。
飲料カップ１の中に氷４を入れた氷収納容器３をセットし、飲料を注ぎ、飲料が充分冷却された後氷４ごと氷収納容器３を取りだせば、飲料の濃度が下がらない。
【００１０】
コンビニで使用されているアイスコーヒー用のプラスチックカップとホットコーヒー用の紙カップを使用し以下の実験を行った。
室温２１度でカップに水と氷を入れ、水温３度で氷を取り出しラップで蓋をし、１０分後・２０分後・３０分後の水温を調べたところ下表のようになった。
【００１１】
【表１】
2015119964.tif 000003
プラスチックカップと紙カップに温度差はなかったが、時間の経過とともに若干水温が上がるため、カップには少し保冷効果のあるものが望ましい。
図1は飲料冷却装置を示す斜視図である。図２は分解図である。
氷収納容器に氷を入れ、上部よりコーヒーを注ぎ、コーヒーが充分冷却された後氷ごと氷収納容器を取り出す。氷収納容器は樹脂製のネットでもよい。また、家庭でインスタントコーヒーでアイスコーヒーを作る場合は、飲料カップでコーヒーを作り、後から氷を入れた氷収納容器を飲料カップに浸し冷却してもよい。飲料は、コーヒーに限らず、茶・紅茶等の全ての飲料に適用できる。
【産業上の利用可能性】
【００１２】
コンビニや大手コーヒーショップで提供されるアイスコーヒー用の器として利用できる。
【符号の説明】
【００１３】
１   飲料カップ
１ａ 底面
１ｂ 開口部
２   飲料カップ用蓋
２ａ 切れ込み
３   氷収納容器
３ａ 取っ手
３ｂ 孔
３ｃ 底面
４   氷
【図１】
2015119964.tif 000004
【図２】
2015119964.tif 000005
(57)【要約】【課題】従来の粘着テープは剥がす時に途中で破ける事が多く、一度失敗すると続きを剥がすのが面倒であると同時に、毛やホコリが付いている為に不衛生である。その上、使用していない次の紙も破り取ってしまう事があり、無駄になる。本発明は、失敗せずに簡単に剥がせる粘着テープを提供するものである。【手段】粘着テープの１枚ずつ切り離す部分を巾０．５ミリから４ミリ、好ましくは１ミリから２ミリ切り取って無くす。次に使用する部分とは切り離されている為捲る時に途中で破けて失敗してしまう事を防ぐ。切り離し部分の両先端がそれぞれ２方向に剥がす事が出来、合計４隅から剥がせるのでもし破けそうになってもやり直せる。【選択図】図１
2015119936.tif 000002
【特許請求の範囲】
【請求項１】
ローラー式粘着テープ２の、１枚ずつ切り離す位置を巾０．５ミリから４ミリ  好ましくは１ミリから２ミリ切り取って無くしたカーペットクリーナー用粘着テープ。
【発明の詳細な説明】
【技術分野】
【０００１】本発明はローラー式カーペットクリーナーの粘着テープを毎回失敗せずに使える為の簡単に剥がせるスペアテープに関するものである。
【技術背景】
【０００２】従来の粘着テープは、使っていくうちに切り目通りに剥がせなくなるなどの使いづらい欠点が多い。
【発明の概要】
【発明が解決しようとする課題】
【０００３】従来の粘着テープは、端に切れ目が付いているものや、切り離す位置にミシン目を入れたものがあるが、途中で破けてしまい失敗する事が多い。
一度失敗してしまうと、残りを剥がすのは大変であり、毛やホコリが付いているので不衛生である。その上、未使用の新しい部分も破ってしまう事もあり無駄になりやすい。
本発明はこれらの問題点を解決する為に発明されたものである。
【課題を解決する為の手段】
【０００４】トイレットペーパーの様に芯に巻き付けた粘着テープ２の１枚ずつ切り離す位置を、幅０．５ミリから４ミリ  好ましくは１ミリから２ミリ切り取って無くす事により、溝を作り  溝の先端部一か所を捲って剥がし取る。
長い毛などが巻きついて途中で破れてしまっても、逆方向にも剥がせる。
反対側の溝の先端からも剥がせる為に合計４隅から捲る事が出来る。
以上の構成による粘着スペアテープ。
【発明の効果】
【０００５】本発明を使用する事によって、上手く剥がれずに失敗してイライラする事もなくなり、途中で破けてしまった時に毛やホコリの付いた部分に触れずに捲る事が出来る。使用していない部分の紙まで剥がしてしまうといった無駄も省く事が出来る。
【図面の簡単な説明】
【０００６】
【図１】本発明に係る図画である。
【発明を実施するための形態】
【０００７】以下の本発明の実施の形態を図画を参照に詳細に説明する。
（イ）トイレットペーパーの様に芯１に巻き付けた粘着テープ２に切り離し部分３を、図１が示す様に幅０．５ミリから４ミリ  好ましくは１ミリから２ミリ切り取って無くす。次に使用する部分とは切り離されている為、破れて失敗することを防ぐ。
（ロ）図１のＣが示す様に切り離し部分３の両先端がそれぞれ２方向に剥がせる為に、合計４隅から剥がせるので失敗を防ぐ事が出来る。
【符号の説明】
【０００８】  １    芯
２    粘着テープ
３    切り離し部分
【図１】
2015119936.tif 000003
(57)【要約】【課題】上衣の内ポケットでは長財布が使いやすく、それ以外は２つ折り財布が使いやすい。両方を持つのは面倒であり、使い分けをするにもカードの入れ替えなど面倒である。本発明は、長財布と２つ折り財布が兼用できる便利な財布を提供する。【手段】長財布として閉じる為の縦の折りしろ部分６と、更に縦に折りたたむ為の横の折りしろ部分６を残し、左右の上下を補強材２で強化します。長財布の時は左右３段のカードホルダー４のうち補強された中段が横の折りしろ部分６を塞いで財布本体が折り曲がるのを防止する。更に２つに折る時はカードホルダー４の中段を下段に折り重ね弁が開く様に横の折りしろ部分６を解放する。【選択図】図３
2015119937.tif 000002
【特許請求の範囲】
【請求項１】
長財布として閉じる為の縦の折りしろ部分６に加え、さらに縦に折り重ねる為の横の折りしろ部分６を設ける事を特徴とする財布。
【請求項２】
上記、縦横折りしろ部分６を除く左右の上下を補強材２により強化されている事を特徴とする請求項１に記載の財布。
【請求項３】
長財布として使用する際は左右の中段に装着された、補強材２の入ったカードホルダー４が、横の折りしろ部分６を塞ぐ。更に縦に折り重ねて小さくする時は、中段のカードホルダー４を下段に折り重ねて、折りしろ部分６を解放させる事を特徴とする、請求項２に記載の財布。
【発明の詳細な説明】
【技術分野】
【０００１】本発明は上衣の内ポケットに入れる長財布とズボンの後ろポケットなどに入れる２つ折り財布を一つにした便利な財布に関するものである。
【技術背景】
【０００２】従来の紳士用財布は主に上衣の内ポケットに入れる長財布とズボンの後ろポケットに入れる２つ折り財布の２タイプがありますが兼用できる財布は存在しません。
【発明の概要】
【発明が解決しようとする課題】
【０００３】従来の財布には次の様な欠点があった
（イ）長財布を入れた上衣を脱ぐ場合は財布はやむを得ずズボンの後ろポケットに入れる事が多い。しかし長財布はズボンの後ろポケットに入れると落としやすいし、先端がポケットからはみ出ているのでスリ等の盗難にあう恐れがある
（ロ）２つ折り財布は短いのでズボンの後ろポケットで使うには良いが上衣の内ポケットには短い為に出しにくいし胸ポケットが膨らんで見たくれも悪い
（ハ）長財布と２つ折り財布の両方を常に持っているのも面倒であるのと同時に使い分けるをするのもカードの入れ替えなどもしなければならない為になおさら不便である
本発明はこれらの問題点を解決する為に発明されたものである
【課題を解決する為の手段】
【０００４】長財布を閉じた状態から更に縦に２つに折りたたんで小さくするには、全て柔らかい材質を使用すれば可能であるが、その場合  長財布としては型崩れしてしまい安定しません。本財布は長財布を閉じる為の縦の折りしろ部分６の他に、さらに縦に折り重ねる為の横の折りしろ部分６を作る。さらに型崩れしてしまう問題を解決する為に左右内側にある仕切りの皮３の中に、折りしろ部分を除きそれぞれ２ヶ所ずつ補強材２を入れて強度を維持します。長財布時は柔らかくて曲がってしまう為、左右に装着する上中下段のカードホルダー４のうち中段のみ補強材２を内蔵し型崩れを防ぎます。長財布時から更に縦に折り重ねる時は、中段のカードホルダー４を折りたたみ、下段に重ねる事で縦に折る為の横の折りしろ部分６を解放する。中段のカードホルダー４が弁の働きをする事により、長財布時は弁を閉じて硬さを保ち、縦に折る時は弁を開く状態にします。以上の構成による財布。
【発明の効果】
【０００５】以下本発明の効果を説明する
（イ）従来は長財布を上衣の内ポケットに入れていて上着を脱いだ時は、貴重品なのでほとんどの人がズボンの後ろポケットに入れていたはずです。その場合落としやすいし、先端がポケットからはみ出している為スリに遭う不安もあったが本財布はそのまま縦に２つに折ってスボンの後ろポケットに入れられるので安心である
（ロ）従来はズボンの後ろポケットに２つ折り財布を入れていて、上衣を着る時はそのまま上衣の内ポケットに入れていたはずです。その場合ポケットが深く財布は短いので出しにくくなってしまうしポケットが膨らんでしまい見た目も悪かった。本財布は短い財布から長い財布に変更して使用できるので問題を簡単に解消できる。
（ハ）長財布を持つか、２つ折り財布を持つか迷わなくて良い
（ニ）長財布と２つ折り財布を使い分けていた人は、カードなど中身の入れ替えが面倒であったが解消される。
【図面の簡単な説明】
【０００６】
【図１】本発明に係る分解模型図である
【図２】本発明に係る図画である
【図３】本発明に係る展開模式図である
【図４】本発明に係る図画である
【発明を実施するための形態】
【０００７】以下、本発明の実施の形態を図画を参照して詳細に説明する。
財布本体の内側に入る左右の仕切り皮３を２枚重ねの袋状にし、それぞれ横の折りしろ部分以外は補強材２を入れる。（図１（ａ）分解模式図参照）
【０００８】本財布を開くと図２（ａ）の平面図が示すように左右それぞれ上中下段の３枚のカードホルダー４を装着する。図２（ｂ）の分解側面図が示すように左右上段のカードホルダー４は図２（ａ）が示す位置の仕切り皮３に装着。中段と下段は図１（ｂ）が示す１枚のカードホルダー補助皮に連結し、中段は補強材２を挟んで表裏にカードホルダー４を装着、図３（ａ）が示すように折りたたみ式にし、下段のカードホルダー４に折って重ねる事が出来る（図３（ｂ）参照）
下段は表にカードホルダー４を装着し、図２（ａ）が示す下段の位置に装着する。
【０００９】本発明の財布は長財布時は図２（ａ）が示す縦の折りしろ部分６を使って閉じます。
図１（ｂ）が示すように補強材２により長財布として型崩れせずに安定します。
【００１０】長財布を閉じて更に縦に２つに折って小さくするには図３（ａ）（ｂ）が示すように、左右中段のカードホルダー４を下段に折りたたんで重ねる事により、図３（ｂ）が示す中段部に横の折りしろ部分６が生まれ図３（ｂ）の状態から閉じて図４（ａ）の側面図が示す形になり、中心部を折って重ねます。図４（ｂ）斜視図の形となり従来の２つ折り財布と同じような大きさになります
【００１１】図１（ｂ）が示す中段の補強されたカードホルダー４が弁の働きをし、長財布時は弁を閉じた状態さらに２つに折って小さくする時は弁が開いた状態になる。
【００１２】補強材２により、長財布時にカードが入っていなくても型崩れをせずに安定を保つ。
また、それによりカードを保護する役目も兼ねている特徴の財布です。
【００１３】本財布は上中下段のカードホルダーを作っていますがカードホルダー部分はカード入れの用途に限定しません。
【符号の説明】
【００１４】    １    財布本体の皮
２    補強材
３    仕切り皮
４    カードホルダー
５    カードホルダー補助皮
６    折りしろ部分
７    カード
【図１】
2015119937.tif 000003
【図２】
2015119937.tif 000004
【図３】
2015119937.tif 000005
【図４】
2015119937.tif 000006
(57)【要約】【課題】［００１５］  本発明は、一般量販店にて販売されている干し芋の、甘さ、やわらかさ、色調などを覆す干し芋の提供と、従来の干し芋製造の労働生産性を向上させる事を目的とする。【解決手段】［００１６］  本発明は、蒸してからではなく、石焼いも（電気、ガスの装置を用いて作る、焼きいもも含む）にしてから干し芋にする事により、上記の課題を克服し、又、網を重ねて使用する事により労働生産性を向上させるものである。【選択図】図１
2015119695.tif 000002
【特許請求の範囲】
【請求項１】
石焼いも（電気、ガスの装置を用いて作る、焼きいもも含む）を製造後、皮を剥きピアノ線で、繊維方向に切り天日干しによる干し芋の製造方法。
【請求項２】
天日干しの網を、重ねて行う天日干しの方法
【発明の詳細な説明】
【技術分野】
【０００１】  本発明は、石焼いも（電気、ガスの装置を用いて作る、焼きいもも含む）による干し芋の製造方法に関する。
【背景技術】
【０００２】  一般的に、販売している干し芋は、さつまいもを蒸して、ピアノ線などで、繊維方向に切って天日干しまたは、機械乾燥により製造。【０００３】  量販店などで販売されている干し芋は、色は見て判断出来るが、甘さ、口に入れた時のやわらかさにばらつきがある。【０００４】  よって、いわゆる甘くて、やわらかい、おいしい干し芋を買い求めることは一般的には難しいことである。【０００５】  干し芋を、天日干しする時に、干し芋の表、裏に天日をあてるため、干し芋を人の手によってひっく返す。不衛生でもあり、干し芋のロスも増大する。
【発明の概要】
【発明が解決しようとする課題】
【０００６】  従って、本発明は一般的に販売出来る、やわらかく、甘く、おいしく、なおかつ衛生的な干し芋の製造と、労働力の軽減に寄与する事を目的とする。
【課題を解決するための手段】
【０００７】  石焼きいも（電気、ガスの装置を用いて作る、焼きいもも含む）を製造後、皮を剥きピアノ線で、繊維方向に切り天日干しによる干し芋の製造方法である。【０００８】  天日干しする時の作業を、網を重ねて使用することにより、衛生的、なおかつ無駄と労働力の低減に効果がある製造方法である。
【発明の効果】
【０００９】  本発明によれば特に、甘さと、やわらかさと、色調に優れた干し芋の製造が出来る。また、本発明によれば衛生的に、ロスが少ない天日干しが、従来の労働力よりもさらに生産性が向上する過程で製造ができる。
【発明を実施するための形態】
【００１０】  本発明を実施するさつまいもは、特に限定はされないが、紅はるかが好適である。同じ、紅はるかでも蒸してから製造する干し芋と、一旦、石焼いも（電気、ガスの装置を用いて作る、焼きいもも含む）にしてから製造する干し芋では、甘さ、やわらかさ、色、の点において比較にならない干し芋が出来上がる。
【実施例１】
【００１１】  石焼いも（電気、ガスの装置を用いて作る、焼きいもも含む）を製造後、手で皮が剥けるまで石焼いも（電気、ガスの装置を用いて作る、焼きいもも含む）の温度を常温の状態まで下げてから皮を剥きピアノ線などで繊維にそってカットする。【００１２】  カットした石焼いも（電気、ガスの装置を用いて作る、焼きいもも含む）を、網の上に、いも同士が重ならない様に並べ、同じ網を上からかぶせる。そのまま天日干しする。【００１３】  翌日、天日干しを始める時に網が重なったまま、ひっくり返すと表、裏なく天日干しが衛生的に、なお少ない労働力で出来る。おおむね晴天であれば、３日間で本発明の干し芋が完成する。
【産業上の利用可能性】
【００１４】  石焼いも（電気、ガスの装置を用いて作る、焼きいもも含む）が製造できれば、可能な技術であり、網もホームセンターにて材料が揃えられます。閑散期の農家の方など収入を得る事ができる。
【図面の簡単な説明】
【図１】  本発明に利用する網の構成を示す外観図である。
【符号の説明】  １  ▲１▼・・・木材で加工した木枠
２  ▲２▼・・・ナイロン製の網を加工した網
【図１】
2015119695.tif 000003
(57)【要約】【課題】本発明は、接触や転倒による衝撃をバネによって吸収することで破損防止効果のある、自転車側面取り付け用の後方反射鏡を提供するものである。【解決手段】自転車側面への取付部の一部に棒状の引張りバネを組み込んだ後方反射鏡であって、接触時や転倒時のあらゆる方向からの衝撃がバネによって吸収されるために、反射鏡本体の破損や変形を防ぐことができることを特徴とする。【選択図】図１
2015189466.tif 000002
【特許請求の範囲】
【請求項１】
自転車側面に取り付ける、棒状バネによる衝撃吸収効果のある後方反射鏡。
【発明の詳細な説明】
【技術分野】
【０００１】  この発明は、接触や転倒時の衝撃を吸収することのできる棒状バネを組み込んだ自転車側面取付用後方反射鏡に関するものである。
【背景技術】
【０００２】  夜間、道路上で自転車の存在を後続車両に知らせて自転車運転者の安全を高めるために、後続車両のヘッドライトの光を反射する反射鏡が自転車の車体の一部に装備されている。
【発明の開示】
【発明が解決しようとする課題】
【０００３】  既存の自転車側面取付用後方反射鏡は、後続車両に自転車の存在を知らせるその機能上、自転車側面から突出した位置にあり、従って走行中の接触事故や駐輪時の転倒においては自転車本体より先に衝撃を受けることになり、変形や破損することが多かった。変形や破損した反射鏡はその機能の一部または全部を失うことになり、自転車運転者の安全確保を危うくする。
本発明が解決しようとする課題は、接触事故や転倒による破損や変形のない自転車側面取付用後方反射鏡を提供することである。
【課題を解決するための手段】
【０００４】  上記の目的を達成する本発明の自転車側面取付用後方反射鏡は、反射鏡本体と自転車への取付部の中間に接触や転倒による衝撃を吸収するための棒状の引張りバネを有することを特徴とする。
【発明の効果】
【０００５】本発明の反射鏡を自転車の側面に取り付けることにより、たとえ接触や転倒で反射鏡に大きな衝撃が加わっても、組み込まれた棒状バネがあらゆる方向の衝撃を吸収して破損や変形なしに反射鏡を元の姿に戻すことができる。
【発明を実施するための形態】
以下、本発明の実施の形態について説明する。
【０００６】図１、図２は、本発明の棒状バネ付き反射鏡を、自転車側面のシートステー、後方ブレーキ本体それぞれ取り付けたときの概要を示す。
【０００７】棒状バネは、反射鏡本体から伸びる板と、自転車にボルトで固定するための取付部の板の間に接合されている。
【図面の簡単な説明】
【０００８】
【図１】本発明のバネ付き反射鏡を自転車のシートステーに取り付けた概要図である。
【図２】本発明のバネ付き反射鏡を自転車の後方ブレーキに取り付けた概要図である。
【符号の説明】
【０００９】１  反射鏡
２  棒状バネ
３  取付バンド
４  シートステー
５  ブレーキ
６  車輪
７  スポーク
【図１】
2015189466.tif 000003
【図２】
2015189466.tif 000004